(57)【特許請求の範囲】
【請求項１】
少なくとも貯蔵空間を有する箱体と、前記箱体に備えられた液体を貯留する貯水槽と、空気中の水分を結露させる水収集板と、前記貯水槽内の液体を霧化しミストを発生させる霧化手段と、前記霧化手段により発生したミストの量を低減する霧化量調整手段とを備え、前記水収集板は、貯蔵室へ低温冷気を搬送する風路、もしくは貯蔵室の低温冷気からの熱伝導により表面温度を露点以下にすることで空気中の水分を結露させて前記貯水槽へ供給するとともに前記霧化量調整手段によって低減されたミストを前記貯水槽へと戻すものである冷蔵庫。
【請求項２】
前記霧化量調整手段は、前記霧化手段により発生したミストのうち、比較的粒子径の大きなミストを結露させて貯水槽へと戻すものである請求項１に記載の冷蔵庫。
【請求項３】
霧化量調整手段は、メッシュ部を有しており、前記メッシュ部に霧化手段から発生するミストを直接衝突させることにより所定霧化量を低減する請求項１また２に記載の冷蔵庫。
【請求項４】
メッシュ部を有する霧化量調整手段において、前記メッシュ径または前記メッシュ数を可変できる請求項３に記載の冷蔵庫。
【請求項５】
霧化量調整手段は、板状部を有しており、前記板状部に霧化手段から発生するミストを直接衝突させることにより所定霧化量を低減する請求項１または２に記載の冷蔵庫。
【請求項６】
板状部を有する霧化量調整手段において、霧化手段からミストを貯蔵空間内に噴霧させるミスト発生口に向けて前記板状部は上方向に傾斜している請求項５に記載の冷蔵庫。
【請求項７】
板状部を有する霧化量調整手段において、前記板状部の傾斜角度を可変できる請求項５または６に記載の冷蔵庫。
【請求項８】
板状部を有する霧化量調整手段において、霧化手段からミストを貯蔵空間内に噴霧させるミスト発生口までの距離を可変できる請求項５から７のいずれか一項に記載の冷蔵庫。
【請求項９】
霧化手段近傍に給水手段を設け、前記給水手段を介して前記霧化手段に水分を安定的に供給する請求項１から８のいずれか一項に記載の冷蔵庫。
【請求項１０】
霧化手段の近傍または前記霧化手段と略一体的に液体を保持する貯留水保持部が設けられている請求項１から９のいずれか一項に記載の冷蔵庫。
【請求項１１】
貯留水保持部に貯水槽を備え、前記貯水槽には外部から供給された水を貯留できる請求項１０に記載の冷蔵庫。
【発明の詳細な説明】
【技術分野】
【０００１】
本発明は、空間内を高湿に維持し、かつ収納食品の水分含有量向上に利用したミスト噴霧装置を備えた冷蔵庫に関するもので、超音波振動を利用したミスト噴霧装置の霧化量の調整に関するものである。
【背景技術】
【０００２】
野菜の鮮度低下に対する影響因子としては、温度、湿度、環境ガス、微生物、光などが上げられる。野菜は生き物であり、呼吸と蒸散作用を行っている。従って、鮮度を維持するには呼吸と蒸散作用の抑制が必要となる。低温障害をおこす野菜など一部の野菜を除き、多くの野菜は低温で呼吸が抑制され、高湿により蒸散を防止することができる。近年、家庭用冷蔵庫では野菜の保存を目的とし、密閉された野菜専用容器が設けられ、野菜を適正な温度に冷却するとともに、庫内を高湿化し、野菜からの水分等の蒸散を抑制するよう制御されている。また、庫内高湿化の部として、ミストを噴霧する部を用いたものもある。
【０００３】
特許文献１などの従来技術が示すように、この種のミスト噴霧機能を備えた冷蔵庫は、野菜室内が低湿時に超音波加湿装置にてミストを生成噴霧し野菜室内を加湿し、野菜からの蒸散を抑制しているものである。
【０００４】
図１６は文献１に記載された従来の超音波加湿装置を設けた冷蔵庫を示すものである。図１６に示すように、野菜室３１は冷蔵庫本体３０の本体ケース３６の下部に設けられ、その全面開口は開閉自在に引き出される引き出し扉３２により閉止されるようになっている。また、野菜室３１は仕切り板２によりその上方の冷蔵室（図示せず）と仕切られている。
【０００５】
引出し扉３２の内面に固定ハンガ３３が固定され、この固定ハンガ３３に野菜等の食品を収納する野菜ケース１が搭載されている。野菜ケース１の上面開口は蓋３により封止されるようになっている。野菜ケース１の内部には解凍室４が設けられ、解凍室４には超音波加湿装置５が備えられている。
【０００６】
超音波加湿装置５には霧吹出し口と貯水容器と湿度センサーとホース受けが備えられている。貯水容器は、ホース受けにより除霜水ホース１０に接続されている。除霜水ホース１０には、その一部に除霜水を清浄するための浄化フィルタ１１が備えられている。
【０００７】
以上のように構成された冷蔵庫において、以下その動作について説明する。
【０００８】
熱交換冷却器（図示せず）より冷却された冷却空気は野菜ケース１及び蓋３の外面を流通することで、野菜ケース１が冷却され、内部に収納された食品が冷やされる。また、冷蔵庫運転時に冷却器から発生する除霜水は除霜水ホース１０を通過するときに浄化フィルタ１１によって浄化されて、超音波加湿装置５の貯水容器に供給される。
【０００９】
次に湿度センサーによって、庫内湿度が８０％以下であると検知されると、超音波加湿装置５が加湿を開始し、野菜ケース１内の雰囲気を野菜等を新鮮に保持するための適度な湿度に調湿することができる。
【００１０】
一方、湿度センサーが、庫内湿度が９０％以上であると検知すると、超音波加湿装置５は過度な加湿を停止する。その結果、超音波加湿装置５により、野菜室３１内をすばやく加湿することができ、野菜室３１内は常に高湿度となり、野菜等の蒸散作用が抑制され、野菜等の鮮度を保持することができる。
【特許文献１】特開平６−２５７９３３号公報
【発明の開示】
【発明が解決しようとする課題】
【００１１】
しかしながら、上記従来の構成では、超音波加湿装置を使用して庫内を高湿にする目的でミストを噴霧しているため、湿度維持のため微妙な噴霧コントロールが難しく、過剰に水分を供給することがあり、その余剰水分が野菜表面に多量の水分が付着し野菜の水腐れや野菜室内に過剰水分が貯まってしまうという課題を有していた。
【００１２】
本発明は、上記従来の課題を解決するもので、貯蔵空間内に供給するミスト霧化量を調整することができる霧化装置を備えることによってミストの過剰な発生を抑制する冷蔵庫を提供することを目的とする。
【課題を解決するための手段】
【００１３】
上記従来の課題を解決するために、本発明の冷蔵庫は、少なくとも貯蔵空間を有する箱体と、前記箱体に備えられた液体を貯留する貯水槽と、前記貯水槽内の液体を霧化しミストを発生させる霧化手段と、前記霧化手段により発生したミストの量を低減する霧化量調整手段とを備えたものである。
【００１４】
これによって、霧化装置自体の霧化量がある貯蔵空間には過剰であっても霧化量調整手段によって過剰分の霧化量を低減することで調整した上で貯蔵空間内にミストを供給することにより、野菜表面に多量の水分が付着して発生する野菜の水腐れや庫内に結露が発生するのを防ぐことができる。
【発明の効果】
【００１５】
本発明の冷蔵庫は、貯蔵空間に収納された野菜の水腐れや庫内の結露を防止することができるので、食品保存性をより高め、使い勝手をより向上させた冷蔵庫を提供することができる。
【発明を実施するための最良の形態】
【００１６】
請求項１に記載の発明の冷蔵庫は、少なくとも貯蔵空間を有する箱体と、前記箱体に備えられた液体を貯留する貯水槽と、空気中の水分を結露させる水収集板と、前記貯水槽内の液体を霧化しミストを発生させる霧化手段と、前記霧化手段により発生したミストの量を低減する霧化量調整手段とを備え、前記水収集板は、貯蔵室へ低温冷気を搬送する風路、もしくは貯蔵室の低温冷気からの熱伝導により表面温度を露点以下にすることで空気中の水分を結露させて前記貯水槽へ供給するとともに前記霧化量調整手段によって低減されたミストを前記貯水槽へと戻すことにより、霧化装置自体の霧化量がある貯蔵空間には過剰であっても霧化量調整手段によって過剰分の霧化量を低減することで調整した上で貯蔵空間内にミストを供給することにより、野菜表面に多量の水分が付着して発生する野菜の水腐れや庫内に結露が発生するのを防ぐことができ、貯蔵空間に収納された野菜の水腐れや庫内の結露を防止することができるので、食品保存性をより高め、使い勝手をより向上させた冷蔵庫を提供することができる。
【００１７】
請求項２に記載の発明は、請求項１に記載の発明において、前記霧化量調整手段は、前記霧化手段により発生したミストのうち、比較的粒子径の大きなミストを低減するものであり、これによって微細ミストのみが選別されて庫内へと噴霧されることで、庫内に噴霧されるミストが微細な軽いミストであるため、ミストの拡散性が向上し、特定の部分へミストが集中することで野菜の水腐れや庫内の結露を防止することができ、さらに粒子径の小さい微細なミストが噴霧されることで野菜等の食品表面の細胞間隙や気孔等から、食品内部にミストが浸透することができ、食品中の水分含有量を向上することができる。
【００１８】
請求項３に記載の発明は、請求項１または２に記載の発明の冷蔵庫において、霧化量調整手段には、メッシュ部を有しており、前記メッシュ部に霧化手段から発生するミストを直接衝突させることにより所定霧化量を調整するもので、このとき所定粒子径以下の微細ミストのみがメッシュを介して噴霧されるので、すなわちメッシュが霧化量調整手段としての役割を果たし、所定粒子径以外の霧化粒子は庫内に噴霧されずに貯水槽内に戻ることとなる。したがって、粒子径の大きいミストを結露させて貯水槽へ戻すことで、庫内へ粒子径の大きいミストが噴霧されることを防いだ上で余剰ミストを結露させて再利用することができる。また、微細ミストのみが庫内へ噴霧されることで、貯蔵空間（野菜室）内で気孔が開孔した状態の野菜や果物の表面に付着し、気孔を介して組織内に浸透するので、貯蔵空間（野菜室）内には過剰な水分が供給されることはなく、過剰水分による野菜の水腐れが抑制されるとともに、水分が蒸散して、萎んだ細胞内に再び水分が供給され、細胞の膨圧によって萎れが解消され、野菜や果物はシャキッとした状態に復帰する。
【００１９】
請求項４に記載の発明は、請求項３に記載の発明のメッシュ部を有する霧化量調整手段において、前記メッシュ径または前記メッシュ数を可変できるもので、これにより霧化粒子が霧化量調整手段への衝突量を調整することができるため、霧化量、霧化粒子径の調整が容易にできる。また、貯蔵室内の湿度や野菜の状態（表面結露状態、収納量など）などの貯蔵室内の状況に応じて可変させることも可能である。これにより、さらに野菜への水分の過供給による水腐れや庫内での過給水の貯留を抑制でき、また、水分が不足した場合の野菜の萎れを防止することができる。
【００２０】
請求項５に記載の発明は、請求項１または２に記載の発明の冷蔵庫において、霧化量調整手段は、板状部を有しており、前記板状部に霧化手段から発生するミストを直接衝突させることにより所定霧化量を調整するもので、このとき霧化手段からの発生ミストが直接板状部に衝突することにより所定粒子径以下の微細ミストのみが噴霧されるので、所定粒子径以外の霧化粒子は噴霧されるミストより重いため庫内に噴霧されずに貯水槽内に返されることとなる。したがって、貯蔵空間（野菜室）内で気孔が開孔した状態の野菜や果物の表面に付着し、気孔を介して組織内に浸透するので、貯蔵空間（野菜室）内には過剰な水分が供給されることはなく、過剰水分による野菜の水腐れが抑制されるとともに、水分が蒸散して、萎んだ細胞内に再び水分が供給され、細胞の膨圧によって萎れが解消され、野菜や果物はシャキッとした状態に復帰する。
【００２１】
請求項６に記載の発明は、請求項５に記載の発明の板状部を有する霧化量調整手段において、霧化手段からミストを貯蔵空間内に噴霧させるミスト発生口に向けて前記板状部は上方向に傾斜しているもので、霧化量調整手段で取り除かれた水分が重力により霧化手段へ戻される。
【００２２】
請求項７に記載の発明は、請求項５または６に記載の発明の板状部を有する霧化量調整手段において、前記板状部の傾斜角度を可変できるもので、霧化粒子が霧化量調整手段への衝突量を調整することができるため、霧化量、霧化粒子径の調整が容易にできる。また、貯蔵室内の湿度や野菜の状態（表面結露状態、収納量など）などの貯蔵室内の状況に応じて可変させることも可能である。これにより、さらに野菜への水分の過供給による水腐れや庫内での過給水の貯留を抑制でき、また、水分が不足した場合の野菜の萎れを防止することができる。
【００２３】
請求項８に記載の発明は、請求項５から７のいずれか一項に記載の発明の板状部を有する霧化量調整手段において、霧化手段からミストを貯蔵空間内に噴霧させるミスト発生口までの距離を可変できるもので、距離の長短により取り除かれる水分量をさらに変化させることができるため、霧化量、霧化粒子径の調整が容易にできる。また、庫内の状況に応じて可変させることも可能である。これにより、さらに野菜への水分の過供給による水腐れや庫内での過給水の貯留を抑制でき、また、水分が不足した場合の野菜の萎れを防止することができる。
【００２４】
請求項９に記載の発明は、請求項１から８のいずれか一項に記載の発明の冷蔵庫において、霧化手段近傍に給水手段を設け、前記給水手段を介して前記霧化手段に水分を安定的に供給するもので、霧化手段に水分を安定的に供給することによって、安定した霧化量を確保することができる。したがって、安定した水分を補給することで食品の水分含有量を向上させることができ、食品の水分含有量を向上させることができる。
【００２５】
請求項１０に記載の発明は、請求項１から９のいずれか一項に記載の発明の冷蔵庫において、霧化手段の近傍または前記霧化手段と略一体的に液体を保持する貯留水保持部が設けられているもので、霧化手段に水分を安定的に供給するもので、水補給装置への安定供給と水量の確保が可能となり生成された水を貯留することにより、一定量の貯留水を予め貯めておくことができる。したがって、ミスト噴霧装置に任意のタイミングで水を補給することが可能となり、これによって、貯蔵室内の内部に収納された野菜や果物に安定してミストを噴霧することができ、必要に応じて随時食品の内部に強制的に水分を補給することで食品の水分含有量を向上させることにより、食品の水分含有量を向上させることができる。
【００２６】
請求項１１に記載の発明は、請求項１０に記載の発明の冷蔵庫において、貯留水保持部に貯水槽を備え、前記貯水槽には外部から供給された水を貯留できるもので、これによって庫内に収納された食品が多数の場合でも十分な量の水分補給を行うことができ、収納庫の貯蔵室に収納されている食品の水分含有量を向上させることができる。
【００２７】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２８】
（実施の形態１）
図１は本発明の実施の形態１における冷蔵庫の側断面図である。図２は本発明の実施の形態１における水補給装置の側断面図である。図３は本発明の実施の形態１における水補給装置の平面断面図である。図４（ａ）は本発明の実施の形態１のミスト噴霧中、光を照射したものにおけるやや萎れかけた野菜の水分含有量復元効果のミストの粒子径に対する特性図、図４（ｂ）は本発明の実施の形態１のミスト噴霧中、光を照射なしで実験したものにおけるやや萎れかけた野菜の水分含有量復元効果のミストの粒子径に対する特性図である。図５は本発明の実施の形態１におけるやや萎れかけた野菜の水分含有量復元効果のミスト噴霧量に対する特性及び、ミスト噴霧量に対する野菜の外観官能評価値を示した図である。
【００２９】
実施の形態１において、冷蔵庫１００は仕切り板１１６によって、上から冷蔵室１１２、切替室１１３、野菜室１１４、冷凍室１１５に仕切られており、野菜室１１４は湿度約９０％Ｒ．Ｈ以上（食品収納時）４〜６℃に冷却されている。冷蔵室１１２の背面には、製氷用貯水タンク１１９が備えられ、製氷用貯水タンク１１９からは給水経路１２０が、製氷室（図示せず）と野菜室１１４とに導かれて、水を供給している。野菜室１１４の上部天面には水補給装置１２１が備えられている。水補給装置１２１は、水を貯留する貯留水保持部である貯水槽１２２と、噴霧部１２３と、噴霧部１２３によって発生したミストを野菜室１１４内に送風する送風部１２９を有する。また、水補給装置１２１の外部一画には照射部１３０が備えられている。また、噴霧部１２３は、貯水槽１２２の内部に位置して水を超音波方式で霧化する霧化手段として超音波素子１２５と、所定粒径以下のミストのみを透過させる金属メッシュ１２６を具備している。また、貯水槽１２２内の貯留水１２４は、給水経路１２０を介して供給され、貯水槽１２２内に貯留されている。また、野菜室１１４の一角には、庫内の温度を検知する温度センサー１３３が備えられている。
【００３０】
以上のように構成された冷蔵庫のミスト生成装置について、以下その動作、作用を説明する。
【００３１】
まず、製氷用貯水タンク１１９内に貯留された水が給水経路１２０を経由して、貯水槽１２２内に供給され，貯留水１２４として貯留される。次に温度センサー１３３が庫内温度を５℃以上であると検知した場合、照射部１３０が点灯し、野菜室１１４内に保存されている野菜や果物に光が照射される。照射部１３０は、たとえば青色ＬＥＤなどで、中心波長が４７０ｎｍの青色光を含む光を照射する。この時照射される青色光の光量子は約１μｍｏｌ／ｍ２／ｓの微弱な光で十分である。微弱な青色光が野菜や果物に照射されると、表皮表面に存在する気孔が、青色光の光刺激によって、開孔する。
【００３２】
一方、野菜室内に保存されている野菜や果物の中には、通常、購入帰路時での蒸散あるいは保存中の蒸散によってやや萎れかけた状態のものが含まれている。また、緑の葉菜や果物等の青果物は蒸散あるいは保存中の蒸散によってより萎れやすいものである。
【００３３】
次に水補給装置１２１の運転が開始される。まず、貯留水１２４は噴霧部１２３に構成されている霧化手段の超音波素子１２５によって水を霧化する。霧化されたミストのうち、野菜の気孔開孔部の直径よりも小さく設定された所定粒子径以下の微細ミストのみが金属メッシュ１２６を通過すると、貯水槽１２２内は、野菜の気孔開孔部の直径よりも小さい粒子径のミストが充満した状態となる。貯水槽１２２内の微細ミストは送風部１２９によって野菜室１１４内にミストとなって噴霧される。このとき、霧化手段の超音波素子１２５によって霧化されたミストは直接金属メッシュ１２６に衝突することにより、金属メッシュ１２６に形成されたメッシュ径やメッシュ数に応じて所定粒子径以下の微細ミストのみが金属メッシュ１２６を介して噴霧され、金属メッシュ１２６が霧化量調整手段として発生したミストを低減する役割を果たすので、所定粒子径以外の霧化粒子は野菜室に噴霧されずに貯水槽１２２内に返される。
【００３４】
このように、比較的粒子径の大きなミストを結露させて貯水槽１２２へと戻すものであり、これによって微細ミストのみが選別されて庫内へと噴霧されることで、庫内に噴霧されるミストが微細な軽いミストであるため、ミストの拡散性が向上し、特定の部分へミストが集中することで野菜の水腐れや庫内の結露を防止することができる。
【００３５】
また、噴霧された微細ミストは、野菜室１１４内で気孔が開孔した状態の野菜や果物の表面に付着し、気孔を介して組織内に浸透する。その結果、野菜室内には過剰な水分が供給されることはなく、過剰水分による野菜の水腐れが抑制されるとともに、水分が蒸散して、萎んだ細胞内に再び水分が供給され、細胞の膨圧によって萎れが解消され、野菜や果物はシャキッとした状態に復帰する。
【００３６】
また、金属メッシュ１２６に形成されたメッシュ径やメッシュ数を可変することも可能（図示しないが、野菜室の湿度や収納野菜の量等により自動的に可変させたり、野菜量に応じて手動で選択するなど）であるため、これにより、霧化量、霧化粒子径の調整が容易にできる。また、野菜室１１４内の湿度や野菜の状態（表面結露状態、収納量など）などの野菜室１１４内の状況に応じて可変させることも可能である。これにより、さらに野菜への水分の過供給による水腐れや庫内での過給水の貯留を抑制でき、また、水分が不足した場合の野菜の萎れを防止することができる。
【００３７】
図４（ａ）及び図４（ｂ）は、やや萎れかけた野菜における、水分含有量の復元効果のミストの粒子径に対する特性を示した図である。萎れかけ野菜の再現方法としては以下の方法を用いた。
【００３８】
店頭での購入状態に対して、重量が約１０％減少するまで所定時間放置したものを、萎れかけ野菜とした。野菜は収穫時から約１５％重量減少すれば、見かけが悪くなり、また、細胞組織も元に戻らない。収穫時の野菜に対して、流通の段階での重量減少は５％程度である。５％程度の水分減少であれば、使用者は官能的に見て見かけ上の問題ないものと判断する。しかし、１０％程度の重量減少が生じると、使用者は官能的に見て、外観上、萎れかけた野菜と感じるようになる。以上のことから、店頭での購入状態に対して、重量が約１０％減少した状態を初期値と定めた。
【００３９】
以下、実験方法を説明する。
【００４０】
上記の処理をした野菜を７０リットルの野菜室（約６℃）に保存し、種々の粒子径のミストを約２４時間噴霧した。その後、取り出して重量測定を行い、重量が初期に対し、どれくらい復元したかを評価した。
【００４１】
図４（ａ）は、ミスト噴霧中に光（青色ＬＥＤ）を１μｍｏｌ／ｍ２／ｓの強度で照射した実験の結果である。一方、図４（ｂ）は、光照射なしでミスト噴霧した実験の結果である。
【００４２】
この実験では、官能的な評価により水分含有量復元率が５０％以上のものが「食べられる」と判定し、７０％以上は「十分においしく食べられる」と判定した。
【００４３】
図４（ａ）より、光照射をした場合、野菜の水分含有量の復元効果は噴霧するミスト粒子径に依存し、一定の最適粒子径範囲が観察された。最適粒子径は野菜の水分含有量の復元効果が５０％以上となる０．００５〜２０μｍの範囲であった。
【００４４】
噴霧する粒子径が２０μｍ以上と大きい場合、水粒子が大きすぎて、ミストが均一に噴霧できなかった。これは、ミスト径が比較的大きいとその自重ですぐに容器の底面に落下してしまうためミストの拡散性が十分に得られないからだと考えられる。また、気孔径は最大２０μｍ程度と考えられ、それ以上のミストでは、水粒子が大きすぎて、野菜の内部まで入り込みにくいものと考えられる。
【００４５】
一方、０．００５μｍ以下の超微粒子では粒子が非常に小さいため、開孔状態の気孔との接触頻度が低下し、野菜の内部に水が浸透できない。以上の要因により、０．００５μｍ以下の場合に復元効果が十分得られなかったものと考えられる。
【００４６】
また、野菜の水分含有量復元効果が７０％以上となる範囲は０．００８〜１０μｍの範囲であった。このように、実験の結果によると１μｍ以上では、粒子径が細かいほうが噴霧の均一性が向上し、また噴霧距離、空気中の滞在時間が延びる。従って、１μｍ以上では、粒子径が細かいほど野菜表面に付着する確率が高くなり、水分含有量復元率が向上することがわかった。また、１０μｍ以下では、より活発にミスト粒子の気孔から浸透がより活発に行われ、野菜の水分含有量復元効果が７０％以上という大きな効果が得られた。また、ミスト径が小さく０．００８μｍ程度でも野菜の水分含有量復元効果が７０％以上となることから、この程度のミスト径を確保すれば、ミストと開孔状態の気孔との接触頻度が比較的保たれると考えられる。
【００４７】
さらに、野菜の水分含有量復元効果が８０％以上とより高くなる最適粒子径は０．０１〜１μｍの範囲であった。ここで、粒子径が１μｍ以下であると粒子が気孔の内部に浸透するに十分の大きさとなる為、０．０１〜１μｍの範囲内では気孔径によって野菜の水分含有量復元効果が変わらなくなると考えられる。
【００４８】
一方、図４（ｂ）は光照射をしない場合の実験結果であり、水分含有量復元率の５０％以上となる粒子径は、光照射時の粒子径よりも小さく、約０．００５〜０．５μｍであった。
【００４９】
粒子径の上限が０．５μｍと小さくなった理由は、光照射による気孔の開孔がないことにより、野菜の表面組織の間隙や比較的閉じた状態の気孔などを介する以外に、水が野菜内部に浸透できないものと考えられる。すなわち、復元するに際し、微細な隙間からしか水粒子が浸透できないためであると考えられる。
【００５０】
なお、水分含有量復元率の５０％以上となる範囲の下限の粒子径は０．００５μｍであり、光照射をした場合と同じであった。０．００５μｍ以下の超微子では、粒子が非常に小さいため、開孔状態の気孔との接触頻度が低下し、野菜の内部に水が浸透できないためと考えられる。
【００５１】
また、野菜の水分含有量復元効果が８０％と高くなるのは０．０１μｍ付近のみであり、野菜の水分含有量復元効果が７０％以上となる最適粒子径は０．００８〜０．０５μｍの範囲であった。このように、実験の結果によると０．０５μｍより小さくなると気孔径が小さくなるにつれて、よりミスト粒子の気孔から浸透がより活発に行われる一方、０．０１μｍをピークとして、それより気孔径が小さくなるにつれて野菜の水分含有量復元効果はより小さくなることがわかった。
【００５２】
よって水分含有量復元効果は光を照射した場合の方が幅広い粒子径で高い水分復元率を得られることが判明した。
【００５３】
ただし、本実施の形態のように霧化部を超音波霧化方式とした場合には、ミストの粒子径を小さくするに従って、高周波数の振動エネルギーを用いて水滴を細粒化する必要があるので、高周波数になればなるほど、振動回数が多くなり超音波霧化方式の耐久年数が短くなる傾向がある。よって、図４（ａ）の実験結果および図４（ｂ）の実験結果ともに、粒子径の下限値は０．００５μｍ程度としたが、冷蔵庫に適用する場合には０．５μｍ以上の粒子径の範囲内で超音波霧化方式を用いることで、平均使用年数が１０年程度といった家電製品の中でも特に長期間の耐久性を要求される冷蔵庫においても、十分な耐久性が得られるので、超音波霧化方式による水分含有量の向上の信頼性をより高めることが可能となる。
【００５４】
次に図５は本発明の実施の形態１で説明した萎れかけた野菜に対する水分含有量の復元効果とミスト噴霧量の関係及び、野菜の外観官能評価値とミスト噴霧量の関係を示した図である。萎れかけ野菜の再現方法及び実験方法は図４（ａ）、図４（ｂ）の実験とほぼ同一である。但し、本実験では、１μｍの粒子径の場合に、光照射あり、光照射なしの２パターンの実験を行い、光照射なしについては、さらに０．０１μｍの粒子径のミストを用いた実験を行った。また、本実験は７０リットルの野菜室において行った為、以下の噴霧量はすべて７０リットル当たりの噴霧量を示す。
【００５５】
図５より、光照射ありの場合で野菜の水分含有復元効果が５０％以上となる範囲は０．０５〜１０ｇ／ｈ（１リットル当たり＝０．０００７〜０．１４ｇ／ｈ・ｌ）の範囲であった。
【００５６】
ミストの噴霧量が少なすぎると、野菜が気孔から外部へ放出する水分量を下回ってしまい、野菜内部への水分供給を行うことができなくなる。また、ミストと開孔状態の気孔との接触頻度が低下し、野菜の内部に水が浸透できにくくなると考えられる。
【００５７】
実験では、このような噴霧量の下限値が０．０５ｇ／ｈであることがわかった。
【００５８】
一方、ミストの噴霧量が多すぎると、野菜内部の水分含有許容量を超えてしまい、野菜内部に取り込まれない水分は野菜の外部に付着してしまい、この水分によって野菜表面の一部から水腐れが生じてしまい、野菜が痛んでしまう現象が発生する。
【００５９】
このような野菜表面に余分な水分が付着し、野菜が水腐れ等の品質劣化を起こす範囲は１０ｇ／ｈ以上であり、実験としては不適であった。よって、１０ｇ／ｈ（１リットル当たり＝０．１５ｇ／ｈ・ｌ）以上の実験結果については、野菜の品質劣化によって採用できない為、省略する。
【００６０】
光照射ありの場合で野菜の水分含有復元効果が７０％以上となる範囲は、０．１〜１０ｇ／ｈ（１リットル当たり＝０．００１５〜０．１４ｇ／ｈ・ｌ）であった。このようにミストの噴霧量の下限値が０．１ｇ／ｈ程度以上に多くなると、開孔状態の気孔との接触頻度が十分に多くなり、野菜内部へのミストの浸透が活発に行われると考えられる。
【００６１】
光照射なしの場合については、粒子径１μｍの噴霧では、野菜の水分含有復元効果が５０％以上となる範囲はなく、すべての噴霧量で１０％未満の水分含有量復元率である。粒子径が０．０１μｍの噴霧では、０．０５〜７ｇ／ｈ（１リットル当たり＝０．０００７〜０．１ｇ／ｈ・ｌ）の範囲であり、さらに野菜の水分含有復元効果が７０％以上となる範囲は０．１〜１ｇ／ｈ（１リットル当たり＝０．００１５〜０．０１４ｇ／ｈ・ｌ）の範囲であった。これは、上記のような光照射ありの場合と比較して、ミスト噴霧量の下限値についてはほぼ同等であるが、上限値が異なる結果となった。図のように、光照射なしの場合については、気孔が十分に開いていない為、粒子径が十分に小さくないと野菜の内部に水分が浸透しないと考えられる。
【００６２】
以上のように、本実施の形態１では、霧化量調整手段のメッシュ部を金属メッシュとして説明したが、実施の形態１の場合、撥水性を有する材料でも同じ効果が得られる。
【００６３】
また、本実施の形態１では、野菜室内に保存中の野菜に対し、照射部を用いて光を照射し、且つ、ミスト噴霧装置にて気孔を通過できるミストを適量噴霧している。その結果、光照射により開孔した野菜表面の気孔から、適量かつ適当な粒子径のミストが野菜内部に浸透し、野菜の水分含有量を向上、野菜のみずみずしさを保持・向上させることができる。
【００６４】
また、本実施の形態１では、０．１〜１００μｍｏｌ／ｍ２／ｓの青色光を照射した。微弱な光照射によって、光合成活動を低く抑えた上で、気孔開孔率を高くすることが可能となる。また、ある程度の生態活動を促し、野菜の光合成による水分消費を極力抑え、開孔した、気孔から水分を野菜内部に効率よく供給することができる。加えて、光量を抑えることにより消費電力を低減し、省エネ効果を得ることが出来る。
【００６５】
また、本実施の形態１では、水道水などの通常の水を噴霧したが、オゾン水や酸性水あるいはアルカリ水などの機能水を噴霧してよい。野菜や果物表面の微細な孔に機能水ミストが入り込むことにより、微細な孔の内部の汚れや農薬等の有害物質を浮き上がらせ除去効果を高めることができる。また、野菜表面の農薬等の有害物質の酸・アルカリ分解効果を高めることができる。また、庫内に付着する汚れや庫内臭気の除去及び、酸・アルカリ分解効果も高めることができる。
【００６６】
なお、本実施の形態１では、霧化手段として超音波素子１２５、霧化量調整手段として金属メッシュ１２６を用いて超音波素子１２５によって液柱を発生させ、金属メッシュ１２６を介してミストの粒子径と霧化量を調整しているが、より細孔なメッシュを形成した金属メッシュ１２６を直接的に超音波素子１２５により振動させ、図示しないが金属メッシュ１２６に給水材などの部材を用いて水分を供給することでミストの粒子径と霧化量を調整することも可能である。
【００６７】
なお、本実施の形態１では、霧化手段として超音波素子１２５、霧化量調整手段として金属メッシュ１２６を用いていることでミストの粒子径と霧化量を調整しているが、金属メッシュ１２６に対向して金属板１２７を設け、金属メッシュ１２６と金属板１２７に高電圧を印加する高電圧電源１２８と、金属メッシュ１２６と金属板１２７との間に高電圧を印加することによって、ミストの粒子径をより細粒化することで、ミストの粒子径を調整することも可能である。この場合には、ミストの細粒化と共にミスト粒子には静電付加することも可能である。さらに、高電圧による水分子の分裂によりミスト粒子径がさらに細分化されることから、過剰水として現れにくくなるので、霧化量調整が容易になる。なおこの場合においては、電極としての役割を兼用するため金属製が妥当である。
【００６８】
また、本実施の形態１では、貯水槽への水供給部としては、製氷用貯水タンクから水経路を利用して貯水槽へ水を送水するため、専用のタンクを備えなくても噴霧部に水を供給することができ、内容積に影響しないので、庫内の食品収納量を減少させることなくミストの噴霧装置を備えることができる。
【００６９】
なお、本実施の形態１においては、貯留水保持部を貯水槽とし、外部から供給された貯留水が保持されるものとしたが、貯留水保持部は、保水装置としての吸湿剤（例えば、シリカゲル、ゼオライト、活性炭等の多孔質材料等）を用いて、貯蔵室内の空気内に含まれている水分を抽出して保持するものでもよい。また、冷蔵庫の除霜水や庫内の結露水等を用いて、使用者が外部から貯留水を供給することなく貯留水を確保できるものであれば、外部からの水分の補給の手間がかからず使い勝手をより向上させた冷蔵庫を提供することができる。
【００７０】
なお、本実施の形態１では、貯蔵室内の収納物として野菜などの青果物について説明した。さらに、水分を供給することにより品質が向上する収納物として、例えば、果物や０℃近辺で保存している鮮魚や肉類でも本実施の形態１の冷蔵庫を用いることで乾燥を防ぐことができる。
【００７１】
なお、本実施の形態１のように振動エネルギーによってミストを生成するタイプの霧化装置は、水粒子に電気分解等の分解を行わないので、水の成分を変えずにミスト化できる場合がある。このように、振動エネルギーの与え方によって水の成分をそのままミスト化するような装置にした場合には、例えばアルカリイオン水やマイナスイオン水等の純粋な水と比較してなんらかの成分を付加した機能水を用いても、その成分をそのままミスト化することが可能となり、使用者のニーズに応じた任意の水をミストとして供給することができる。
【００７２】
（実施の形態２）
図６は、本発明の実施の形態２における冷蔵庫の側断面図である。図７は、本発明の実施の形態２における冷蔵庫の超音波霧化装置近傍の縦断面図である。図８は、本発明の実施の形態２における冷蔵庫の超音波霧化装置近傍の正面図である。図９は、本発明の実施の形態２における冷蔵庫の超音波霧化装置の縦断面図である。図１０は、本発明の実施の形態２における機能ブロック図である。図１１は、本発明の実施の形態２における制御フロー図である。図１２は、本発明の別の実施の形態における冷蔵庫の超音波霧化装置近傍の縦断面図である。
【００７３】
図６において、冷蔵庫２２１は断熱性を有する仕切り板２２２によって、上から冷蔵室２２３、切替室２２４、野菜室２２５、冷凍室２２６に区画されている。野菜室２２５は野菜容器２２８が設置され、その空間の中に食品を収納し、湿度約９０％ＲＨ以上（食品収納時）、４〜６℃に冷却されている。野菜室２２５の背面には風路２２９と野菜室２２５を区画するための庫内仕切り２３０が備えられている。庫内仕切り２３０には、超音波霧化装置４０１を含む水補給装置３２２が備えられている。さらに、野菜室天面の仕切り板２２２には、特定の波長を選択した光を照射する照射部３２３と庫内全体に光を拡散させるための拡散板３２４が備えられている。
【００７４】
図７において、庫内仕切り２３０と冷蔵庫外壁４０２との間には風路２２９を備える。風路２２９は、例えば冷却器（蒸発器）２４２で生成された冷気を各貯蔵室に搬送し、もしくは各貯蔵室から熱交換された空気を冷却器２４２へ搬送するために設けられている。ここで、庫内仕切り２３０には超音波霧化装置４０１が組み込まれている。庫内仕切り２３０は主に発泡スチロールなどの断熱材で構成されており、その壁厚は３０ｍｍ程度であるが、貯留水保持部４０４の背面については、壁厚は５ｍｍから１０ｍｍで構成されている。貯留水保持部４０４の中には、水収集板３２１が庫内側に設置されている。水収集板３２１の一面には例えば、ニクロム線で構成された加熱ヒータなどの加熱部３２８が当接し、庫内側にはＢＯＸファンなどの送風部３１７と循環風路４０７を構成するためのカバー部材４０６が設置されている。
【００７５】
図８において、カバー部材４０６には循環風路４０７に関する第１の循環風路開口部４０８と第２の循環風路開口部４０９が設けられている。さらに、水収集板３２１には、水収集板３２１表面の温度を検知するための温度検知部３２７が設置されている。
【００７６】
図９において、超音波霧化装置４０１はホーン４１０と圧電素子４１１で構成される。ホーン４１０は切削加工等により略円錐状に加工され、ホーン４１０の圧電素子４１１側にホーン４１０と一体的にフランジ部４１０ａが形成されている。またホーン４１０と圧電素子４１１とは接着固定されて、圧電素子４１１で発生する振動をホーン先端で最大振幅となるよう増幅されるように構成されている。また、超音波霧化装置４０１はフランジ部４１０ａを取り付け位置とし、冷蔵庫やその取り付け部材の接続部４０５に取り付けられている。
【００７７】
ホーン４１０は熱伝導性の高い材質としており、例えばアルミニウム、チタン、ステンレス等の金属が挙げられる。特に、軽量で、熱伝導性が高く、超音波伝達時の振幅の増幅性能の点からするとアルミニウムを主成分とするもの選択することが好ましい。また、長寿命化のためにはステンレスを主成分とするものを選択することが望ましい。
【００７８】
また、超音波の振動の振幅はフランジ部４１０ａで振幅の節部に、ホーン４１０の先端で振幅の腹部となるように、またフランジ部４１０ａとホーン４１０の先端の間を１／４波長で振動するように設定されている。またホーン４１０の長さは、発生ミストの霧化粒子径と圧電素子４１１の発振周波数及びホーン４１０の材質で決まるものである。例えば、霧化粒子径が約１０μｍの場合、ホーン４１０の材質がアルミニウムで、圧電素子４１１の発振周波数は約２７０ｋＨｚの時にホーン４１０の長さＢは約６ｍｍとなる。また、霧化粒子径が約１５μｍの場合、ホーン４１０の材質がアルミニウムで、圧電素子４１１の発振周波数は約１４６ｋＨｚの時にホーン４１０の長さＢは約１１ｍｍとなる。これらの一連の理論計算値まとめを表１に記載する。
【００７９】
【表１】
0004591345.tif 000002
【００８０】
また、冷蔵庫２２１の冷凍サイクルは、圧縮機２４１、凝縮器、膨張弁やキャピラリチューブなどの減圧装置（図示せず）、蒸発器２４２、それら構成部品を連結する配管、及び冷媒などで構成される。
【００８１】
冷蔵庫２２１は、機械室を有しており、機械室には圧縮機２４１と凝縮器などが備えられている。なお、三方弁や切替弁を用いる冷凍サイクルの場合は、それらの機能部品が機械室内に配設されていてもよい。
【００８２】
冷凍サイクルを構成するキャピラリは、パルスモーターで駆動する冷媒の流量を自由に制御できる電子膨張弁として働く場合もある。
【００８３】
また、断熱箱体内には、蒸発器２４２が冷凍室２２６の背面に備えられ、減圧膨張で低温化した冷媒と庫内空気とを熱交換により冷却する役割を担っている。
【００８４】
以上のように構成された冷蔵庫について、以下その動作・作用を説明する。
【００８５】
冷蔵庫２２１の場合、冷却器２４２で熱交換された冷気を攪拌ファン（図示せず）などにより冷蔵室２２３、切替室２２４、野菜室２２５、冷凍室２２６、製氷室（図示せず）などに冷気を配分し、所定の温度を維持するようにＯＮ・ＯＦＦ運転するものが一般的である。野菜室２２５は、冷気の配分や加熱部などのＯＮ・ＯＦＦ運転により４℃から６℃になるように調整され、一般的には庫内温度検知部をもたないものが多い。また、野菜室２２５は、食品からの水分の蒸散と扉の開閉による水蒸気の侵入等により高湿である。庫内仕切り２３０の厚さは、ある程度の冷却能力が必要なので他の部分より薄く構成されている。ここで、水収集板３２１の表面温度を露点温度以下にすれば、水収集板３２１近傍の水蒸気は水収集板３２１に結露し、水滴が確実に生成される。
【００８６】
具体的には、（１）水収集板３２１に設置されている温度検知部３２７により表面の温度状態を把握し、（２）制御部３１４により送風部３１７、加熱部３２８をＯＮ・ＯＦＦ制御もしくは電圧可変を行い、（３）水収集板３２１の表面温度を露点温度以下に調整し、（４）送風部３１７により庫内より送られた高湿空気に含まれる水分を水収集板３２１に結露させる。特にここでは図示しないが庫内に庫内温度検知部や庫内湿度検知部などがあれば、あらかじめ決められた演算により厳密に露点温度が庫内環境下の変化に応じて割り出すことができる。仮に水収集板３２１表面で氷や霜となった場合でも、加熱部３２８を用いて融解温度まで水収集板３２１表面温度を上昇させることが可能なので、適度に水を生成することができる。
【００８７】
ここで、送風部３１７が運転されると野菜室２２５の空気の影響により水収集板３２１表面温度は上昇し、一方、送風部３１７が停止すると表面温度は低下する。壁厚が１０ｍｍ以上では、送風部３１７が運転時、加熱部３２８がＯＦＦでも水収集板３２１表面温度は露点温度以上になり、結露量が調整できなくなる。逆に壁厚が５ｍｍ以下の場合は、常時、加熱部３２８がＯＮの状態になりエネルギー効率が悪くなる。よって、水収集板３２１背面の庫内仕切り３０の厚みは５ｍｍから１０ｍｍにすることにより水収集板３２１の表面温度を制御しながら加熱部３２８のエネルギーを最小化することができる。
【００８８】
また、結露を促進させるためには野菜室２２５内の空気を循環させる必要がある。そこで、送風部３１７により空気を取り込む。例えば、送風部３１７により第２の循環風路開口部４０９より高湿の空気をとりこみ、水収集板３２１で結露させた後、第１の循環風路開口部４０８より庫内に空気を吐出し、野菜室２２５内の空気を循環させることにより結露を促進させる。
【００８９】
水収集板３２１表面で結露した水滴は徐々に成長し、自重によりポンプなどの動力を使わずに下方に流れ、超音波霧化装置４０１近傍に集まる。集まった結露水は、給水部４０３によりホーン４１０先端に供給される。
【００９０】
ホーン４１０先端に供給された水は、超音波振動子４１１の振動により粒子径の小さいミストとして野菜容器２２８内に噴霧される。このとき、霧化手段の超音波素子４０１によって霧化されたミストは霧化量調整手段４１２に衝突しながら粒子径の大きい粒子から給水部４０３に戻っていく。したがって霧化量調整手段４１２によって霧化量を調整し、取り除かれなかった比較的粒子径の小さい霧化粒子がミスト発生口４１３から噴霧されることになる。噴霧された微細ミストは、野菜室１１４内で気孔が開孔した状態の野菜や果物の表面に付着し、気孔を介して組織内に浸透する。その結果、野菜室内には過剰な水分が供給されることはなく、過剰水分による野菜の水腐れが抑制されるとともに、水分が蒸散して、萎んだ細胞内に再び水分が供給され、細胞の膨圧によって萎れが解消され、野菜や果物はシャキッとした状態に復帰する。
【００９１】
また、霧化量、粒子径の調整は、霧化量調整手段４１２の傾斜角度や霧化装置からミスト発生口までの距離によって変更が可能であり、用途や条件によって、霧化量、霧化粒子径を最適に調整できる。また、野菜室内の湿度や野菜の状態（表面結露状態、収納量など）などの野菜室内の状況に応じて可変させることも可能である。これにより、さらに野菜への水分の過供給による水腐れや庫内での過給水の貯留を抑制でき、また、水分が不足した場合の野菜の萎れを防止することができる。
【００９２】
野菜室２２５内には青果物である野菜の中でも緑の菜っ葉ものや果物等も保存されており、これらの青果物は蒸散よってより萎れやすい。野菜室２２５内に保存されている野菜や果物の中には、通常、購入帰路時での蒸散あるいは保存中の蒸散によってやや萎れかけた状態のものが含まれており、霧化されたミストによって野菜の表面が潤わされる。このとき、庫内（野菜室）温度検知部３２５が５℃以上、庫内（野菜室）湿度検知部３２６が９５％以上であると検知した場合、照射部３２３が点灯する。照射部３２３は、例えば青色ＬＥＤや青色光のみを透過する材料で覆われたランプなどであり、微弱な青色光を照射し、野菜や果物は表皮表面に存在する気孔が、青色光の光刺激によって、通常の状態に比べ気孔の開度が大きくなり、野菜や果物が水分を吸収しやすくなる。
【００９３】
つまり、この時照射される青色光は野菜の気孔開度を制御するものであり、その波長は４００ｎｍ〜５００ｎｍが望ましい。特に中心波長が４４０ｎｍもしくは４７０ｎｍの照射部を使用したときその相対効果が高く、特に青色ＬＥＤを用いれば安価でかつ低入力で照射でき、貯蔵室内への熱影響を低減できる。
【００９４】
また、光の強さを表す光量子密度は、０．１μｍｏｌ・ｍ−２・ｓ−１〜１００μｍｏｌ・ｍ−２・ｓ−１が望まれる。特に野菜の気孔は光刺激により気孔を開閉するが、その刺激の感知する光量子密度は０．１μｍｏｌ・ｍ−２・ｓ−１程度あれば光刺激に反応する。また、それ以上なら気孔は開孔するが１００μｍｏｌ・ｍ−２・ｓ−１を超えると光合成が活発になり、そのため野菜表面からの蒸散が激しくなり保鮮性が損なわれる。実際には、容器内の照度分布と野菜の積み重ね等を考慮すれば、照射部３２３の光量子密度は１μｍｏｌ・ｍ−２・ｓ−１程度に設定されることが望ましい。
【００９５】
これにより、噴霧されたミストは野菜室２２５内を再び高湿にすると同時に野菜室２２５内に気孔開孔状態の野菜や果物の表面に付着し、気孔より組織内に浸透し、水分が蒸散して、萎んだ細胞内に再び水分が供給され、細胞の膨圧によって萎れが解消され、シャキッとした状態に復帰する。そのとき、霧化粒子径は０．５〜２０μｍが好ましい。さらに、一般的な野菜の平均的な気孔の大きさが２０μｍ程度であるため、萎れた野菜をより復活させるためには２０μｍ以下の粒子径でより細かいミストがより好ましい。
【００９６】
ホーン４１０は、ホーン４１０先端付近で振動による発熱を生じるが、ホーン４１０が高熱伝導性材料であるため、ホーン全体４１０への熱伝導の働きもなしている。これはホーン４１０付近での熱源により熱を周囲に逃がすことが可能となり、長寿命化につながり信頼性が向上する。
【００９７】
圧電素子４１１が駆動した場合、図９に示す実線Ａのように各部位が振動する。ホーン４１０のフランジ部４１０ａ側が超音波霧化装置４０１内を伝播する音波の節部であり、フランジ部４１０ａで、例えば庫内仕切り２３０と直接的または取り付け部材を介して間接的に接続して設置されているため、伝播する音波の節部で接続することとなり損失が少なくなるため、消費電力は小さくてすむ。
【００９８】
また、ホーン４１０の先端とフランジ部４１０ａとの長さ（ホーン長：Ｂ）が１／４波長である構造をもてば、超音波霧化装置４０１の全長を短くすることができる。逆にホーン４１０の先端とフランジ部４１０ａの間に腹部が複数あると、振動エネルギー損失が大きくなり、振動に要する電力が大きくなる。
【００９９】
さらに、圧縮機２４１の動作により吐出された高温高圧の冷媒は、凝縮器にて冷蔵庫２２１の空気と熱交換して放熱するとともに凝縮液化し、キャピラリに至る。その後、キャピラリでサクションラインと熱交換しながら減圧されて蒸発器２４２に至る。
【０１００】
冷却用ファン（図示せず）の作用により、蒸発器２４２内の冷媒の蒸発作用により比較的低温となった冷気は冷蔵室２２３と冷凍室２２６などに流入し、それぞれの部屋の冷却が行われる。蒸発器２４２内で、庫内の空気と熱交換した冷媒はその後サクションラインを通り圧縮機２４１へと吸い込まれる。
【０１０１】
上述した冷凍サイクルの冷媒としては、地球環境保全の観点から地球温暖化係数が小さい可燃性冷媒であるイソブタンが使用されている。
【０１０２】
仮に、圧縮機の停止時に蒸発器２４２から可燃性冷媒が漏洩した場合でも、超音波霧化装置なら静電霧化装置にあるような放電部がなく、着火源がない。そのため、冷凍サイクルを構成している部品の構成に関係なく超音波霧化装置を設置することができ、また、冷媒の種類を問わず、安全である。
【０１０３】
次に図１０の機能ブロック図を説明する。制御部３１４は、超音波霧化装置４０１の動作と、超音波霧化装置４０１に給水する水量を調整するため動作させる加熱部３２８や送風部３１７などと、照射部３２３の動作を制御する。それらの制御のため、水収集板温度検知部３２７と野菜室温度検知部３２５と野菜室湿度検知部３２６と扉開閉検知部３３０とからの情報信号が制御部３１４に入力される。例えば、庫内温度が５℃、庫内湿度が９０％、水収集板表面温度が４℃であることが検知された場合、制御部３１４は、超音波霧化装置４０１のＯＮ・ＯＦＦ、加熱部３２８の動作を決定する。この場合、制御部３１４は、水収集板表面温度を、露点温度以下に冷却する必要があるので、例えば、加熱部をＯＦＦするか、もしくは加熱部への入力を低下させるか、冷気の温度を低下させるために圧縮機の回転数を増加させるか、もしくは送風部の回転数を低下させるように制御を行う。また、制御部３１４は、扉開閉検知部３３０により扉が閉状態であると検知されたときにのみ、超音波霧化装置４０１を動作させることにより、扉開閉時の外部へのミストもれを防ぐことが出来る。さらに、貯蔵されている野菜が０℃近辺の低温で気孔を開孔した場合、野菜の低温障害を促進してしまい、野菜を傷めることになる。また、１５℃以上だと呼吸による野菜表面からの蒸散が盛んになり、水分量が減少しやすくなる。そこで、野菜室温度検知部３２５が、例えば５℃〜１５℃の範囲を検知した時にのみ、照射部３２４をＯＮすれば効率のよい鮮度の維持、水分量の向上ができる。
【０１０４】
次に図１１の制御フロー図を説明する。
【０１０５】
ステップ２１で、水収集板表面温度検知部３２７により測定された表面温度ｔ℃があらかじめ決められたｔＡ℃とｔＢ℃の範囲に検知温度がある場合、制御部３１４は、野菜の気孔制御とミスト噴霧による水分量向上が可能と判断し、ステップ２２で超音波霧化装置４０１を運転させ、貯蔵室にミストが噴霧される。
【０１０６】
ステップ２３で、制御部３１４が超音波霧化装置４０１の積算運転時間ＴＡがＴ１を超えると判定すると、ステップ２４に進んで照射部３２３を動作させる。
【０１０７】
ステップ２５で、制御部３１４が超音波霧化装置４０１の運転積算時間ＴＡがＴ２を超えると判定すると、ステップ２６に進んで、ミスト噴霧を終了し、同時に照射部もＯＦＦさせる。
【０１０８】
次にステップ２７で、制御部３１４が超音波霧化装置４０１の停止時間がＴ３を超えると判断すると、ステップ２８に進んでよりタイマーＴＡ、ＴＢを初期値に戻し、再び水収集板表面温度を検知する。
【０１０９】
以上説明したように、本実施の形態２の冷蔵庫は、断熱区画された貯蔵室を有する断熱箱体と、液体を噴霧する噴霧部として超音波霧化装置とを備える。この構成により、比較的低温である各貯蔵室へ低温冷気を搬送するため風路を利用して、風路側からの熱伝導により超音波霧化装置に水を供給するための水収集板を冷却する。水収集板を露点以下に温度調整することにより、空気中の水分を確実に生成し、給水部などにより超音波霧化装置の振動子先端に水を供給することができる。
【０１１０】
また、本実施の形態２においては、霧化量、粒子径の調整を霧化量調整手段の傾斜角度を固定した形態で説明したが、図１２に示すように霧化量調整用の傾斜角度可動部４１４を設けることより庫内の状況に応じて可変させることも可能である。これにより、さらに野菜への水分の過供給による水腐れや庫内での過給水の貯留を抑制でき、また、水分が不足した場合の野菜の萎れを防止することができる。
【０１１１】
また、本実施の形態２においては、噴霧部を超音波霧化装置としたことにより水の供給が十分であれば、噴霧量は十分確保することができる。そのためＯＮ・ＯＦＦ運転による噴霧量の調整が可能となり、さらに、実使用での運転時間が短縮でき、構成部品等の寿命信頼性が向上する。
【０１１２】
また、本実施の形態２においては、ミスト噴霧と併用して４００ｎｍ〜５００ｎｍの波長を選択した青色光を含む照射部により野菜室内を照射することにより、気孔の開閉を光刺激により制御できることにより、さらに野菜への水分供給が向上する。
【０１１３】
また、本実施の形態２においては、噴霧部を超音波霧化装置としたためミスト発生時にオゾンが発生することがないので、特にオゾンに対する対策を用いなくてよく、部品構成ならび制御内容が簡素化できる。
【０１１４】
また、本実施の形態２においては、超音波霧化装置に貯水槽を備えたことにより様々な機能水、たとえば酸性水、アルカリ水、またはビタミンなどを含んだ栄養水などを注入し、それを野菜室内に噴霧することができ、様々な新しい機能を野菜室に追加できる。
【０１１５】
また、本実施の形態２においては、超音波霧化装置を用いたことにより冷凍サイクルの冷媒にイソブタンやプロパンなどの可燃性冷媒を用いた場合においても、冷凍サイクルの構成部品の配置を考慮せず超音波霧化装置を設置することができ、また、防爆対応などの特別な対応も備えなくてもよい。
【０１１６】
また、本実施の形態２においては、水収集板を貯蔵室内に備えたことにより加熱部や送風部により結露量を調整できると同時に、水収集板の温度を可変にすることにより庫内湿度も調整できる。
【０１１７】
また、本実施の形態２の冷蔵庫は、略円錐状に形成されたホーンと、圧電素子とを備え、ホーンの一端面に圧電素子を接着して一体化している超音波霧化装置を貯蔵室内に配置している。この構成により、小型化され、かつ低入力の超音波霧化装置を冷蔵庫に適用できるため、設置の制約が少なく、設計に自由度を持たせることができる。また、低入力であるため消費電力を低減することができるとともに、制御部３１４を搭載する制御基板を小型・低コスト化することができる。
【０１１８】
また、超音波霧化装置自体の発熱量が抑制できるので、貯蔵室内の温度上昇を抑制できる。また特に欠水が生じた場合の異常発熱を抑制することができるので、超音波霧化装置の寿命が長期化し、信頼性が向上する。さらに冷蔵庫という低温雰囲気下で使用するため、発熱が抑制され、超音波霧化装置自体も長寿命化できる。
【０１１９】
また、給水部を設けたことにより、効率的にかつ安定してホーン先端に水分を供給するので、超音波霧化装置から常時安定して噴霧され、貯蔵室空間を高湿に維持することができる。また、安定してホーン先端に水分を供給することで、ホーン先端での欠水を防止できるので、超音波霧化装置の寿命が長期化し、信頼性が向上する。
【０１２０】
また、給水部は、貯留水保持部近傍に設けられていることにより、貯留水保持部から給水部によりホーン先端に水分が補給されるため、効率よく貯蔵室空間に噴霧でき、貯蔵室空間を高湿に維持することができる。また、貯留水保持部と給水部が近傍に位置しているので、貯留水保持部からホーン先端までの水分経路の構成をコンパクト化、簡素化でき、設計自由度が向上する。
【０１２１】
また、貯留水保持部は、水収集部として貯蔵室内の空気中水分を結露させる部を有する。結露水を給水部によりホーン先端に供給することにより、結露部により生じた結露水を貯留水保持部に集水する。供給部を介してホーン先端に集水された結露水を常時安定して供給できるため、効率よく貯蔵空間にミストを噴霧でき、貯蔵室空間を高湿に維持することができる。
【０１２２】
また、ホーンは、高熱伝導性の材質であることより、ホーン先端部で発熱をホーン全体に拡散し、かつ貯蔵空間が低温環境であるため、超音波霧化装置自体の温度上昇が抑制できるので、長寿命化し信頼性が向上する。
【０１２３】
また、霧化粒子径を０．５μｍから２０μｍにすることにより、食品の内部に強制的に水分を供給できるため、食品の水分含有量を向上することができる。
【０１２４】
また、ホーン先端部を振動の腹部近傍に、ホーンの圧電素子接着面側に形成したフランジ部を振動の節部近傍にするとともに、フランジ部と直接的または間接的に冷蔵庫本体とを接続することにより、振動の振幅が大きい腹部、すなわちホーン先端部でホーン先端に補給された水分を効率よく霧化させることができる加えて、振動の節部、すなわちホーンに形成したフランジ部では振幅が小さいため、直接的または間接的に接続した接続部から冷蔵庫への振動伝達を低減することができる。
【０１２５】
また、超音波霧化装置は、ホーン先端とフランジ部との長さを１／４波長モードで振動する構造を有することにより、霧化面となるホーンの先端と接続部となるホーンに形成したフランジ部との間に腹部と節部が１つで複数存在しない。その結果、ホーンの小型化が可能であり、エネルギーの分散や減衰が低減されるため、効率の向上が可能となる。また、小型化できるので、設置制約が少なく、設計に自由度を持たせることができ、貯蔵空間を大きくすることができる。
【０１２６】
また、ホーンの長さを１ｍｍから２０ｍｍとすることにより、ホーンが小さくなるため、冷蔵庫設計に自由度を持たせることができ、貯蔵空間を大きくすることができる。
【０１２７】
また、超音波霧化装置周辺にカバー部材を設けることにより、使用者等が直接触れることができなくなるため、安全性の向上が可能とすることができる。
【０１２８】
本実施の形態２において、超音波霧化装置を略円錐状に形成されたホーンを使用したもので説明したが、略円錐状の形状でなく、先端での振動の振幅を増幅させる形状であれば同様の効果が得られる。例えば、圧電素子側から先端に向け先細り形状として、先端部において略長方形形状にすることも可能である。このことによりミストを噴霧させる面積が円形状に比べて大きくなるので、噴霧範囲が拡大され拡散性が向上する。
【０１２９】
（実施の形態３）
図１３は、本発明の実施の形態３における冷蔵庫の超音波霧化装置近傍の縦断面図である。図１４は、本発明の実施の形態３における冷蔵庫の超音波霧化装置近傍の正面図である。実施の形態２と同一部、同一部材は同一番号で示すことがある。
【０１３０】
実施の形態３において、冷蔵庫２２１は断熱性を有する仕切り板２２２によって、区画されている。野菜室２２５には野菜容器２２８が設置され、その空間の中に食品を収納し、湿度約９０％ＲＨ以上（食品収納時）、４〜６℃に冷却されている。野菜室２２５の背面には風路２２９と野菜室２２５を区画するための庫内仕切り２３０が備えられている。冷蔵庫２２１の左側面部の外壁４０２には超音波霧化装置４０１が備えられている。
【０１３１】
庫内仕切り２３０と冷蔵庫外壁４０２との間には風路２２９があり、例えば冷却器２４２で生成された冷気を各貯蔵室に搬送する、もしくは各貯蔵室から熱交換された空気を冷却器へ搬送するために設けられている。ここで、冷蔵庫２２１の左側面部の外壁及び野菜室２２５の天面、すなわち断熱性を有する仕切り板２２２には超音波霧化装置４０１が設置されている。断熱性を有する仕切り板２２２は主に発泡スチロールなどの断熱材で構成されている。
【０１３２】
野菜室２２５の上方には切替室２２４があり、切替室２２４には切替室容器がある。切替室２２４は冷却方法としては、例えば奥面の一部に冷気の吐出口と吸込み口があり、この冷気量の調整と加熱部（図示しない）の動作により温度調節されている。超音波霧化装置４０１の奥上方には水収集板３２１があり超音波霧化装置４０１に水が流れるように傾斜をつけたカバー部材４０６が備えられている。水収集板３２１の裏面は周囲の断熱材より薄い壁厚になっている。また、水収集板３２１にはカバー部材４０６により風路が構成され、その一部に送風部３１７が備えられている。
【０１３３】
さらに、野菜室２２５天面にあるカバー部材４０６には、特定の波長を選択した光を照射する照射部３２３と庫内全体に光を拡散させるための拡散板３２４が備えられている。
【０１３４】
切替室２２４は冷凍温度帯から冷蔵温度帯で使われている。例えば、冷凍室温度の設定のとき、吐出口から冷気が流れ庫内温度は約−２０℃になる。薄壁化された仕切り板２２２の上面（切替室側）は−２０℃付近の温度であるため、野菜室２２５上面は切替室からの熱伝導により冷却される。本実施の形態３では、水収集板３２１の背面に加熱部３２８と表面温度の検知部を有し、これらにより表面温度を露点温度以下に制御し、水収集板３２１に野菜からの蒸散や扉開閉により浸透した庫内水蒸気を結露させ水を生成する。
【０１３５】
水収集板３２１から滴下した水はカバー部材４０６に受け止められ、傾斜したカバー部材４０６に沿って貯留水保持部４０４に設けた貯水槽３１５に集水される。したがって、給水部４０３は、十分に水を含んでおり、この状態で超音波霧化装置４０１よりミストを発生し、野菜室２２５に噴霧される。このとき噴霧された霧化粒子は霧化量調整手段４１２に衝突しながら粒子径の大きい粒子から給水部４０３に戻っていく。したがって霧化量調整手段４１２によって霧化量を調整し、取り除かれなかった比較的粒子径の小さい霧化粒子がミスト発生口４１３から噴霧されることになる。また、霧化量、粒子径の調整は、霧化量調整手段４１２の傾斜角度によって変更が可能であり、用途や条件によって形状変更が可能である。これにより噴霧されたミストは野菜室２２５内を再び高湿にする。同時に、波長が４００ｎｍ〜５００ｎｍの範囲に選択された照射部により野菜容器２２８内を照射することにより、野菜室２２５内に保存された野菜の気孔が開孔状態になる。気孔が開孔した状態で、ミストが野菜や果物の表面に付着し、気孔から組織内にミストが浸透する。その結果、水分が蒸散して、萎んだ細胞内に再び水分が供給され、細胞の膨圧によって萎れが解消され、シャキッとした状態に復帰する。
【０１３６】
また、送風部３１７を用いて、水収集板３２１に結露する量を制御することができる。
【０１３７】
以上のように、本実施の形態３においては、野菜室の天面の仕切りに取り付けられている水収集板と、切替室で生成された低温冷気を冷却源とし、野菜室天面の仕切りの切替室側からの熱伝導により水収集板を冷却する。加熱部や送風部を用いて、水収集板の表面温度を露点以下に温度調整することで、空気中の水分を水収集板に確実に結露させることが出来る。結露させて収集した水を、貯留水保持部に設けた貯水槽に集水し、給水部により超音波霧化装置に水分を供給する。ホーン４１０先端に供給された水は、超音波振動子４１１の振動により粒子径の小さいミストとして野菜容器２２８内に噴霧される。野菜室の左側面上方からミストを野菜容器に確実に噴霧することができ、野菜表面にミストを付着させることにより野菜の保湿性を高め、保鮮性を向上させることができる。
【０１３８】
また、貯水槽３１５は貯留水保持部４０４に対して着脱自在に設置されている。従って、野菜室内に収納されている野菜量が少ない場合や冷蔵庫の運転開始直後の比較的湿度の低い状態の時に、あらかじめ貯水槽で水を補給できるのでより安定して保湿性を向上することができる。
【０１３９】
また、超音波霧化装置、貯水槽は扉側にあることにより取り外しやすく、メンテナンスがしやすい。
【０１４０】
また、本実施の形態３においては、本実施の形態２と同様、霧化量、粒子径の調整を霧化量調整手段の傾斜角度を固定した形態で説明したが、図示しないが霧化量調整用の傾斜角度可動部を設けることより庫内の状況に応じて可変させることも可能である。これにより、さらに野菜への水分の過供給による水腐れや庫内での過給水の貯留を抑制でき、また、水分が不足した場合の野菜の萎れを防止することができる。
【０１４１】
また、本実施の形態３において、貯水槽と結露方式の組み合わせで説明したが、ミストを噴霧するのに十分な貯留水を確保できる場合、貯水槽がなくすことも可能である。これにより、貯蔵室の有効容積を増やすことができる。
【０１４２】
なお、本実施の形態では野菜室の冷却源として切替室としたが、冷凍室や製氷室などを冷却源にしてもかまわない。これにより温度が一定になるため制御部が簡略される。
【０１４３】
（実施の形態４）
図１５は、本発明の実施の形態４における冷蔵庫の超音波霧化装置近傍の縦断面図である。実施の形態２と同一部、同一部材は同一番号で示すことがある。
【０１４４】
実施の形態４における冷蔵庫は、野菜室天面の仕切り板２２２に設置されている超音波霧化装置４０１と、水を貯留する貯留水保持部４０４である貯水槽３１５と、発生したミストを野菜室２２５内に送風する送風部３１７を有している。
【０１４５】
超音波霧化装置４０１は、貯水槽３１５に隣接し、水を霧化するため圧電素子４１１と所定粒径以下のミストのみを透過する金属メッシュ４１５を具備している。また、貯水槽３１５内の貯留水は仕切り板２２２に設置されている水収集板３２１により生成された結露水を、給水部を兼ねたカバー部材４０６により貯水槽３１５に給水する。
【０１４６】
以上のように構成された冷蔵庫について、以下その動作・作用を説明する。
【０１４７】
まず、仕切り板２２２に設置された水収集板３２１が冷気の熱伝導により冷却され、野菜室内の水蒸気が水収集板３２１に結露する。次に、結露した水は、水集板３２１または、カバー部材４０６より超音波霧化装置４０１内にある貯水槽３１５に給水される。貯水槽に保持された水は、圧電素子４１１の振動により、貯水槽内の液面が振動・分裂し霧状のミストが発生する。発生したミストは金属メッシュ４１５によりさらに細粒径化され、送風部３１７により庫内に噴霧する。
【０１４８】
以上のように、本実施の形態においては噴霧部を超音波振動子とすることにより比較的多量の霧化が可能となり、噴霧部のＯＮ・ＯＦＦにより霧化量を調整することが可能となる。
【０１４９】
また、本実施の形態においては、超音波霧化装置を用いているため発振周波数を可変させれば、粒子径を可変でき、また電圧を変えることで霧化量を調整できる。
【産業上の利用可能性】
【０１５０】
以上のように、本発明の冷蔵庫は、一旦低下した野菜等の水分含有量を元の水分含有量まで回復させることができるため、家庭用冷蔵庫、業務用冷蔵庫、食品保存庫、保冷車の用途にも適用できる。また、低温流通、倉庫などの業態でも応用適用できる。
【図面の簡単な説明】
【０１５１】
【図１】本発明の実施の形態１における冷蔵庫の側断面図
【図２】本発明の実施の形態１における水補給装置の側断面図
【図３】本発明の実施の形態１における水補給装置の平面断面図
【図４】（ａ）本発明の実施の形態１のミスト噴霧中、光を照射したものにおけるやや萎れかけた野菜の水分含有量復元効果のミストの粒子径に対する特性図（ｂ）本発明の実施の形態１のミスト噴霧中、光を照射なしで実験したものにおけるやや萎れかけた野菜の水分含有量復元効果のミストの粒子径に対する特性図
【図５】本発明の実施の形態１におけるやや萎れかけた野菜の水分含有量復元効果のミスト噴霧量に対する特性及び、ミスト噴霧量に対する野菜の外観官能評価値を示した図
【図６】本発明の実施の形態２における冷蔵庫の側断面図
【図７】本発明の実施の形態２における冷蔵庫の超音波霧化装置近傍の縦断面図
【図８】本発明の実施の形態２における冷蔵庫の超音波霧化装置近傍の正面図
【図９】本発明の実施の形態２における冷蔵庫の超音波霧化装置の縦断面図
【図１０】本発明の実施の形態２における機能ブロック図
【図１１】本発明の実施の形態２における制御フロー図
【図１２】本発明の別の実施の形態における冷蔵庫の超音波霧化装置近傍の縦断面図
【図１３】本発明の実施の形態３における冷蔵庫の超音波霧化装置近傍の縦断面図
【図１４】本発明の実施の形態３における冷蔵庫の超音波霧化装置近傍の正面図
【図１５】本発明の実施の形態４における冷蔵庫の超音波霧化装置近傍の縦断面図
【図１６】従来の超音波加湿装置を設けた冷蔵庫の要部断面図
【符号の説明】
【０１５２】
１００  冷蔵庫
１１４  野菜室（貯蔵空間）
１２２  貯水槽
１２５  霧化手段（超音波素子）
１２６  メッシュ（霧化量調整手段）
２２１  冷蔵庫
２２５  野菜室（貯蔵空間）
４０１  霧化手段（超音波霧化装置）
４０３  給水手段
４０４  貯留水保持部
４１２  霧化量調整手段
４１３  ミスト発生口
４１４  霧化量調整用の傾斜角度可動手段
【図１】
0004591345.tif 000003
【図２】
0004591345.tif 000004
【図３】
0004591345.tif 000005
【図４】
0004591345.tif 000006
【図５】
0004591345.tif 000007
【図６】
0004591345.tif 000008
【図７】
0004591345.tif 000009
【図８】
0004591345.tif 000010
【図９】
0004591345.tif 000011
【図１０】
0004591345.tif 000012
【図１１】
0004591345.tif 000013
【図１２】
0004591345.tif 000014
【図１３】
0004591345.tif 000015
【図１４】
0004591345.tif 000016
【図１５】
0004591345.tif 000017
【図１６】
0004591345.tif 000018